(57)【要約】【課題】データの一覧表示から所望のデータを容易に選択可能とする。【解決手段】複数の画像データを特定の規則に従って並べた配列に基づいて表示する表示制御装置は、配列の中の１つの画像データを基準として、配列における画像データの並びから、設定された間隔で画像データを抽出し、抽出された、基準の画像データを含む複数の画像データを、配列の順番に基づいて表示部の画面上に配置して表示させる。ここで、上記画像データの抽出に用いられる基準の画像データまたは間隔がユーザからの指示に基づいて変更されると、新たな基準及び間隔により上記の表示が行われ表示部の表示が変更される。【選択図】    図８
2010015256.tif 000002
【特許請求の範囲】
【請求項１】
複数の画像データを特定の規則に従って並べた配列に基づいて表示する表示制御装置であって、
前記配列の中の１つの画像データを基準として、前記配列における画像データの並びから、設定された間隔で画像データを抽出する抽出手段と、
前記抽出手段で抽出された、前記基準の画像データを含む複数の画像データを、前記配列の順番に基づいて表示部の画面上に配置して表示させる表示制御手段と、
前記抽出手段で用いられる前記基準の画像データまたは前記間隔をユーザからの指示に基づいて変更し、変更された基準の画像データまたは変更された間隔でもって前記抽出手段と前記表示制御手段を機能させることにより、前記表示部の表示を変更する変更手段とを備えることを特徴とする表示制御装置。
【請求項２】
前記画像データは、静止画データもしくは動画データの本体データ及びサムネイル、及び動画データ中の特定の期間のいずれかであることを特徴とする請求項１に記載の表示制御装置。
【請求項３】
前記表示制御手段は、前記抽出手段で抽出された前記複数の画像データのうち、前記基準となる画像データを予め定められた複数の表示位置の中央の１つに配置し、他の画像データを、前記配列において前記基準となる画像データに近い順に、前記基準となる画像データの表示位置に隣接する表示位置から順次に配置することを特徴とする請求項１または２に記載の表示制御装置。
【請求項４】
前記変更手段は、前記画面のスクロールの操作の後に前記中央の表示位置に新たに表示された画像データを前記基準の画像データに変更することを特徴とする請求項３に記載の表示制御装置。
【請求項５】
ユーザにより指定された配列条件を受け付け、画像データの各々が有するメタデータと前記配列条件に基づいて複数の画像データの配列を生成する配列生成手段を更に備えることを特徴とする請求項１乃至４のいずれか１項に記載の表示制御装置。
【請求項６】
前記変更手段は、間隔の変更の指示が、間隔を広める指示であった場合、前記基準の画像データに隣接されて表示されている画像データを、前記抽出手段にて新たに抽出された画像データの中で、その画像データに対して基準の画像データと反対側に配列された画像データに表示の変更をする手段を備えることを特徴とする請求項１乃至５のいずれか１項に記載の表示制御装置。
【請求項７】
前記変更手段は、間隔の変更の指示が、間隔を狭める指示であった場合、前記基準の画像データに隣接されて表示されている画像データを、前記抽出手段にて新たに抽出された画像データの中で、その画像データと基準の画像データとの間に配列された画像データに表示の変更をする手段を備えることを特徴とする請求項１乃至５のいずれか１項に記載の表示制御装置。
【請求項８】
前記表示制御手段は、表示を変更した際に、表示する画像データの大きさを変更しないことを特徴とする請求項１乃至５のいずれか１項に記載の表示制御装置。
【請求項９】
複数の画像データを特定の規則に従って並べた配列に基づいて表示する表示制御方法であって、
前記配列の中の１つの画像データを基準として、前記配列における画像データの並びから、設定された間隔で画像データを抽出する抽出工程と、
前記抽出工程で抽出された、前記基準の画像データを含む複数の画像データを、前記配列の順番に基づいて表示部の画面上に配置して表示させる表示制御工程と、
前記抽出工程で用いられる前記基準の画像データまたは前記間隔をユーザからの指示に基づいて変更し、変更された基準の画像データまたは変更された間隔でもって前記抽出工程と前記表示制御工程を実行することにより、前記表示部の表示を変更する変更工程とを有することを特徴とする表示制御方法。
【請求項１０】
前記画像データは、静止画データもしくは動画データの本体データ及びサムネイル、及び動画データ中の特定の期間のいずれかであることを特徴とする請求項９に記載の表示制御方法。
【請求項１１】
前記表示制御工程は、前記抽出工程で抽出された前記複数の画像データのうち、前記基準となる画像データを予め定められた複数の表示位置の中央の１つに配置し、他の画像データを、前記配列において前記基準となる画像データに近い順に、前記基準となる画像データの表示位置に隣接する表示位置から順次に配置することを特徴とする請求項９または１０に記載の表示制御方法。
【請求項１２】
前記変更工程は、前記画面のスクロールの操作の後に前記中央の表示位置に新たに表示された画像データを前記基準の画像データに変更することを特徴とする請求項１１に記載の表示制御方法。
【請求項１３】
ユーザにより指定された配列条件を受け付け、画像データの各々が有するメタデータと前記配列条件に基づいて複数の画像データの配列を生成する配列生成工程を更に備えることを特徴とする請求項９乃至１２のいずれか１項に記載の表示制御方法。
【請求項１４】
前記変更工程は、間隔の変更の指示が、間隔を広める指示であった場合、前記基準の画像データに隣接されて表示されている画像データを、前記抽出工程にて新たに抽出された画像データの中で、その画像データに対して基準の画像データと反対側に配列された画像データに表示の変更をする工程を有することを特徴とする請求項９乃至１３のいずれか１項に記載の表示制御方法。
【請求項１５】
前記変更工程は、間隔の変更の指示が、間隔を狭める指示であった場合、前記基準の画像データに隣接されて表示されている画像データを、前記抽出工程にて新たに抽出された画像データの中で、その画像データと基準の画像データとの間に配列された画像データに表示の変更をする工程を有することを特徴とする請求項９乃至１３のいずれか１項に記載の表示制御方法。
【請求項１６】
前記表示制御工程では、表示を変更した際に、表示する画像データの大きさを変更しないことを特徴とする請求項９乃至１３のいずれか１項に記載の表示制御方法。
【請求項１７】
請求項９乃至１６のいずれか１項に記載の表示制御方法をコンピュータに実行させるプログラム。
【請求項１８】
請求項９乃至１６のいずれか１項に記載の表示制御方法をコンピュータに実行させるプログラムを格納したコンピュータ読み取り可能な記憶媒体。
【発明の詳細な説明】
【技術分野】
【０００１】
本発明は、静止画、動画データ及び付加情報、サムネイル等を配列表示する表示制御装置及びその方法に関する。
【背景技術】
【０００２】
近年では、ＰＣ，専用蓄積装置以外にも、画像データを撮影するカメラ等に蓄積機能を備えているもの、またディスクレコーダのように放送コンテンツなどを蓄積するものなどがある。そして、こうしたデバイス格納されているデータを一覧表示する表示装置も存在する。この種の表示装置には、全てのデータをデータ名といったテキストにより一覧表示するものがある。また、近年ではデータのサムネイル、特徴部の一部再生といったデータの概要を表す画像または映像を、一覧表示中に明示的に表示することも行われている。こうした一覧表示においては、データを日付順やファイル名順といったさまざまな順序で表示することができる。これは、データの概要をわかりやすく見せるとともに、ユーザが所望のデータを探す上で有効な表示方法である。
【０００３】
このように、静止画、動画データ及び付加情報、サムネイル等を配列表示し、ユーザの操作に従って、データの表示の切替えを行いながら、所望のデータにたどりつくことを可能とするための様々なユーザインターフェースが提案されている。また、データを整理してグループ化することにより、データを探しやすくするというものもあり、この場合グループ化されたデータ群を１つのアイコンなどで表示することも提案されている。このとき、データグループのアイコンは、そのデータグループ内の代表データの画像、または、一部、あるいは全部のデータの画像から作成することが多かった。グループの全データを用いてアイコンを生成する例としては、グループ内のデータのサムネイルを縮小して全て表示したアイコンを作成する、もしくは、サムネイルを重ねて表示したアイコンを作成するなどが挙げられる。
【０００４】
こうした中で、データの一覧を表示する場合、データを探しやすくするため、データに対して、さまざまなメタデータを付加し、そのメタデータによって順序を決めて、データを並べるといったものがある。例えば、日付順、メタデータの５０音順、もしくはアルファベット順などでデータが並べられていた。さらに、これらのメタデータを階層化して管理することにより、よりデータを探しやすくする工夫がなされていた。例えば、日付を、年、月、日の階層に分け、それぞれをグループ化して、階層を上下させて表示を切替えることにより、ユーザは自分の記憶の中から所望の場所を選択し、データを探すことができる。
【０００５】
こうした中で、データのグループを作成し、そのグループの代表サムネイルを表示させ、さらにユーザの操作に従ってグループの詳細度を動的に変更させることによって、所望のデータを探すといったものがあった（特許文献１）。
また、Ｗｅｂのページの構成を階層構造的にグループ化し、ユーザの操作に従って、その表示階層を変更することにより表示の詳細度を変更して、データを閲覧するものもあった（特許文献２）。
【特許文献１】特開２００６−６５３６８号公報
【特許文献２】特開２００７−１３３７６１号公報
【発明の開示】
【発明が解決しようとする課題】
【０００６】
しかしながら、上記従来の技術においては、以下のような課題があった。すなわち、
１．あるデータを選択する際に、そのデータを選択する目的を反映して、必要に応じた詳細度でのデータの表示を指示するができなかった。
２．あるデータを基準として、所望の関連度のデータを表示することができなかった。
３．詳細度を変更する際に、表示しているデータをより多く表示させるなどの目的で、表示させるデータの大きさを変更（縮小）すると、データを探す上で見づらい状況がおこり、探しづらかった。
４．。先頭のデータを基準として詳細度を変えていたため、所望の場所近辺のデータを探すのには向かなかった。
５．階層的なグループ化や、フォルダを形成するなどで整理を行い、その中を順次開いて閲覧していく方法をとると、目的のデータを探すまでに何度も階層を上下させるなどの手間がかかっていた。
【０００７】
本発明は上記課題に鑑みてなされたものであり、データの一覧表示から所望のデータを容易に選択可能とすることを目的とする。
【課題を解決するための手段】
【０００８】
上記の目的を達成するための本発明の一態様による表示制御装置は以下の構成を備える。すなわち、
複数の画像データを特定の規則に従って並べた配列に基づいて表示する表示制御装置であって、
前記配列の中の１つの画像データを基準として、前記配列における画像データの並びから、設定された間隔で画像データを抽出する抽出手段と、
前記抽出手段で抽出された、前記基準の画像データを含む複数の画像データを、前記配列の順番に基づいて表示部の画面上に配置して表示させる表示制御手段と、
前記抽出手段で用いられる前記基準の画像データまたは前記間隔をユーザからの指示に基づいて変更し、変更された基準の画像データまたは変更された間隔でもって前記抽出手段と前記表示制御手段を機能させることにより、前記表示部の表示を変更する変更手段とを備える。
【０００９】
上記の目的を達成するための本発明の他の態様による表示制御方法は、
複数の画像データを特定の規則に従って並べた配列に基づいて表示する表示制御方法であって、
前記配列の中の１つの画像データを基準として、前記配列における画像データの並びから、設定された間隔で画像データを抽出する抽出工程と、
前記抽出工程で抽出された、前記基準の画像データを含む複数の画像データを、前記配列の順番に基づいて表示部の画面上に配置して表示させる表示制御工程と、
前記抽出工程で用いられる前記基準の画像データまたは前記間隔をユーザからの指示に基づいて変更し、変更された基準の画像データまたは変更された間隔でもって前記抽出工程と前記表示制御工程を実行することにより、前記表示部の表示を変更する変更工程とを備える。
【発明の効果】
【００１０】
本発明によれば、ユーザは、所望のデータを基準としたデータ一覧を、所望の詳細度で表示させることができ、容易に目的のデータを探し、選択することができる。
【発明を実施するための最良の形態】
【００１１】
以下、添付の図面を参照して、本発明に係わる好適な実施形態の一例を説明する。
【００１２】
本実施形態では、複数の動画データ、静止画データが蓄積されており、蓄積されているデータのサムネイル一覧表示の詳細度変更させながら、目標データに到達する表示制御装置を説明する。まず、本実施形態による表示制御装置の全体のシステム構成について説明する。
【００１３】
（システム構成）
本実施形態で想定するデータ表示システムの構成例を図１に示す。図１において、１０１はデータ表示装置であり、データを保持し、データのサムネイルの配列を形成し、その配置を行い、配置したサムネイルを表示部２１３に表示する。１０２は、データの選択や表示の切替えなどの操作入力機能を持つ操作リモコン装置である。
【００１４】
図２にデータ表示制御装置１０１の構成例を示す。図２において、データ表示制御装置１０１内の２０１は中央制御部（ＣＰＵ）、２０２はリードオンリーメモリ（ＲＯＭ）、２０３はランダムアクセスメモリ（ＲＡＭ）である。２０４は、操作リモコン装置１０２からの操作コマンドを受け取る操作入力部である。２０５は、表示対象となるデータを保持しておくデータ蓄積部であり、本例では静止画データ、動画データを蓄積する。２０６は、データ蓄積部２０５に保持されているデータを管理するデータ管理部である。２０７は、データ蓄積部２０５に蓄積されているデータに付加されているメタデータを管理するメタデータ管理部である。
【００１５】
２０８はサムネイル作成部であり、データ蓄積部２０５に保持されているデータの、一覧表示させるためのサムネイルを作成するサムネイル作成部である。２０９はデータ配列生成部であり、複数の画像データを特定の規則（配列条件）に従って並べた配列を生成する。すなわち、データ配列生成部２０９は、メタデータ管理部２０７のメタデータと配列条件に従って、図４に示されるようなデータ管理テーブルを作成する。またデータ配列生成部２０９は、操作入力部２０４を介してユーザにより指定された配列条件に従って、データを配列する機能を有する。２１０は表示制御部であり、後述の表示サムネイル管理部２１２によって生成された図５の表示データ管理テーブルに従って、サムネイル作成部２０８で作成されたサムネイルを表示する。
【００１６】
２１１は、操作入力部２０４からの指示に応じて、表示するデータの抽出間隔を変更するデータ抽出間隔制御部である。２１２は表示サムネイル管理部であり、抽出間隔の変更の指示がなされた際に、表示すべきサムネイルを決定し、図５で後述するように表示データ管理テーブルを更新する。２１３は、表示部である。２１４は基準サムネイル管理部であり、基準となるデータ（以下、基準データ）を管理、更新する。基準データとは、以下で説明する一覧表示の基準となるデータであり、本実施形態の一覧表示ではこの基準となるデータにフォーカスが当てられる。２１５は、上述した各構成を接続する内部バスである。
【００１７】
なお、上述した２０４〜２１４で示される各構成では、その一部もしくは全ての機能を、ＣＰＵ２０１がＲＯＭ２０２またはＲＡＭ２０３に格納されたプログラムを実行することにより実現するようにしてもよい。
【００１８】
図３は、操作リモコン装置１０２の外観を示す図である。図３において、３０１は上を指示する上指示キー、３０２は下を指示する下指示キー、３０３は右を指示する右指示キー、３０４は左を指示する左指示キーであり、基準データ（基準データに対応するサムネイル）の移動などの操作を行う。本実施形態では、これらのキーの操作に応じて画面がスクロールされ、このスクロールにより基準となるデータが変更される（詳細は後述する）。３０５は、確定キーであり、選択や操作を決定するのに用いられるキーである。３０６は表示サムネイルの詳細度を上げるために表示するデータの抽出間隔の縮小指示をする縮小指示キーである。また、３０７は表示サムネイルの詳細度を下げるために表示するデータの抽出間隔の拡大指示をする拡大指示キーである。
【００１９】
図４は、データ配列生成部２０９が作成するデータ管理テーブルのデータ構成例を示す図である。図４に示されるように、データ管理テーブルでは、各データを一意に認識するためのＩＤ、付属しているメタデータ、静止画、動画の画像データ、各データのサムネイルが管理されている。図４の例では、各画像データに付随している日付のメタデータを配列条件として用いることにより、各データが日付の順序で並べられている。
【００２０】
図５は、表示サムネイル管理部２１２が生成する表示データ管理テーブルのデータ構成例を示す図である。図５において、（ａ）には、表示すべきサムネイルの抽出間隔を３にした場合の表示データ管理テーブル５０１が示されている。（ｂ）には、表示すべきサムネイルの抽出間隔を２にした場合の表示データ管理テーブル５０２が示されている。更に、（ｃ）には、表示すべきサムネイルの抽出間隔を１にした場合の表示データ管理テーブル５０３が示されている。それぞれの状態で、基準データ、表示サムネイル管理部２１２によって、抽出されたデータの列、さらに、表示制御部２１０によって表示されている状態を表す状態パラメータを持っている。この表示データ管理テーブルは、間隔が変更された場合、基準データが変更された場合に、更新される。
【００２１】
図６にデータ配列図を示す。図６の（ａ）〜（ｃ）では、配列された各データの基準データに対する位置関係と、それぞれの抽出間隔が指示された際の、表示するサムネイルを示している。ここでは、基準データは、ＩＤが１００のデータとなっている（以下、ＩＤがｘｘｘのデータをデータ[ｘｘｘ]（例えばＩＤが１００のデータはデータ[１００]）のように記載する）。図６の（ａ）では、抽出間隔３が指示されている場合の表示すべきサムネイルが示されており、データ[９４]、[９７]、[１００]、[１０３]、[１０６]等が抽出され、表示画面に設定された表示位置の数だけ表示される。図６の（ｂ）では、抽出間隔２が指示されている場合の表示すべきサムネイルが示されている。図６の（ｂ）の場合、データ[９２]、[９４]、[９６]、[９８]、[１００]、[１０２]、[１０４]、[１０６]、[１０８]等が抽出され、表示画面に設定された表示位置の数だけ表示される。図６の（ｃ）では、抽出間隔１が指示されている場合の表示すべきサムネイルが示されており、データ１００を中心にすべてのデータが抽出され、表示画面に設定された表示位置の数だけ表示される。
【００２２】
図７に、本実施形態によるサムネイルの一次元表示における画面表示例を示す。図７に示されるように、一次元表示の画面では、表示制御部２１０によって、表示部２１３にサムネイルの表示位置が一次元に配列される。ここでは、基準データのサムネイルを、複数の表示位置７０１〜７０９の中央の表示位置７０５に表示し、その他のデータのサムネイルを残りの表示位置７０１〜７０４、及び７０６〜７０９に表示している。表示位置７０１〜７０４、及び７０６〜７０９には、配列において基準となる画像データに近い順に、基準となる画像データの表示位置７０５に隣接する表示位置から順次に画像データが配置される。基準データは、操作リモコン装置１０２の右指示キー３０３、左指示キー３０４によって、表示されているサムネイルの示すデータのうちのいずれかに変更できる。本実施形態では、右指示キー３０３、左指示キー３０４により画面をスクロールし、新たに中央の表示位置７０５に表示された画像（サムネイル）を新たな基準データとする。７１０は、抽出間隔によって表示されるサムネイルの詳細度を示すインジケータである。
【００２３】
図８は、図７で説明した一次元表示の画面において、操作リモコン装置１０２の縮小指示キー３０６或いは拡大指示キー３０７の操作により詳細度（サムネイルの抽出間隔）を変更した場合の、表示の遷移を示す図である。
【００２４】
図８において、（ａ）は抽出間隔３が指示された際の表示画面８０１を、（ｂ）は抽出間隔２が指示された際の表示画面８０２を、（ｃ）は抽出間隔１が指示された際の表示画面８０３を示している。表示画面８０１の表示状態において、表示データ管理テーブルは図５の（ａ）に示す表示データ管理テーブル５０１のようになっており、表示制御部２１０はこのテーブルに基づいてサムネイルを表示している。従って、表示位置７０１〜７０９のそれぞれに、データ[８８]、[９１]、[９４]、[９７]、[１００]、[１０３]、[１０６]、[１０９]、[１１２]が配置されている。
【００２５】
ここで、操作リモコン装置１０２の縮小指示キー３０６が押されると、データ抽出間隔制御部２１１が抽出間隔を２に変更し、表示サムネイル管理部２１２は表示データ管理テーブルを図５の（ｂ）に示すものに変更する。そして、表示制御部２１０は、変更された表示データ管理テーブルを参照してデータ[１００]を基準としてサムネイルを表示し、表示画面８０２のように表示を変更する。さらに縮小指示キー３０６が押されると、データ抽出間隔制御部２１１が抽出間隔を１に変更し、表示サムネイル管理部２１２は表示データ管理テーブルを図５の（ｃ）に示すものに変更する。そして、表示制御部２１０は、変更された表示データ管理テーブルを参照してデータ[１００]を基準としてサムネイルを表示し、表示画面８０３のように表示を変更する。
【００２６】
すなわち、抽出間隔の縮小指示に応じて、表示画面８０１の表示位置７０４、７０６のサムネイルが、データ配列生成部２０９によって生成された配列において、基準データに対して反対側に配置されているデータのものに変更される。より具体的には、データ[９７]、[１０１]のサムネイルがそれぞれデータ[９８]、[１０２]のサムネイルに変更される。更に抽出間隔の縮小指示に応じて、表示位置７０４、７０６のサムネイルは、配列において基準データに対して反対側に配置されているデータ[９９]、[１０１]のものへと変更されていく。表示位置７０１、７０２、７０３、７０７、７０８、７０９のサムネイルもそれぞれ表示画面８０２で示されているデータＩＤのサムネイルへ変更されていく。また、インジケータ７１０は、抽出間隔が小さくなったことに応じて、表示画面８０１の状態から表示画面８０２の状態へと変化する。なお、図８の例では、インジケータ７１０は、つまみが左側にあるほど間隔が狭くなっていることを示している。
【００２７】
次に、表示位置７０１〜７０９のそれぞれに、データ[９６]、[９７]、[９８]、[９９]、[１００]、[１０１]、[１０２]、[１０３]、[１０４]が配置されている表示画面８０３の表示状態において拡大が指示された場合を説明する。表示画面８０３の状態で操作リモコン装置１０２の拡大指示キー３０７が押されると、データ抽出間隔制御部２１１が抽出間隔を２に変更し、表示サムネイル管理部２１２は表示データ管理テーブルを図５の（ｂ）に示すものに変更する。そして、表示制御部２１０は、変更された表示データ管理テーブルを参照してデータ[１００]を基準としてサムネイルを表示し、表示画面８０２のように表示を変更する。また、表示画面８０２の状態で更に拡大指示キー３０７が押されると、データ抽出間隔制御部２１１が抽出間隔を３に変更し、表示サムネイル管理部２１２は表示データ管理テーブルを図５の（ａ）に示すものに変更する。そして、表示制御部２１０は、変更された表示データ管理テーブルを参照してデータ[１００]を基準としてサムネイルを表示し、表示画面８０２のように表示を変更する。
【００２８】
すなわち、拡大指示キー３０７の押下に応じて、表示画面８０３の表示位置７０４、７０６の位置のサムネイルが、データ配列生成部２０９によって生成された配列において、基準データとの間に配置されているデータのものに変更される。より具体的には、データ[９７]、[１０１]のサムネイルがそれぞれデータ[９８]、[１０２]のものに変更される。更に抽出間隔の拡大指示に応じて、表示画面８０２の表示位置７０４、７０６の位置のサムネイルが、配列において基準データとの間に配置されているデータ[９７]，[１０３]のものへと変更されていく。表示位置７０１、７０２、７０３、７０７、７０８、７０９の位置のサムネイルもそれぞれ表示画面８０２、８０１で示されているデータＩＤのサムネイルへ変更されていく。
【００２９】
図９は、本実施形態によるサムネイルの二次元表示における画面の表示例を示す図である。図９に示されるように、二次元表示の画面では、表示制御部２１０によって、表示部２１３にサムネイルが二次元に配列され、表示される。表示制御部２１０は、基準データのサムネイルを表示位置９１３に表示し、この基準データに近い順にデータを、表示位置９０９〜９１２、及び表示位置９１４〜９１７といった隣接に配置、表示する。さらに、表示制御部２１０は、これらの次に基準データに近い順に、表示位置９０１〜９０８、及び表示位置９１８〜９２５にデータを配置、表示する。ユーザは、操作リモコン装置１０２の左右上下の指示キー３０１、３０２、３０３、３０４を操作することによって、表示されているサムネイルの示すデータのいずれかに基準データを変更することができる。すなわち上下左右のストロークの結果、表示位置９１３に新たに表示されたサムネイルに対応するデータを新たな基準データとする。
【００３０】
図１０は、操作リモコン装置１０２の縮小指示キー３０６或いは拡大指示キー３０７の操作により詳細度（サムネイルの抽出間隔）を変更した場合の、二次元表示における画面の遷移を示す図である。
【００３１】
図１０において、（ａ）は抽出間隔３が指示された際の表示画面１００１、（ｂ）は抽出間隔２が指示された際の表示画面１００２、（ｃ）は抽出間隔１が指示された際の表示画面１００３を示している。それぞれの表示画面は、表示制御部２１０が表示データ管理テーブル５０１，５０２，５０３を参照して、間隔に応じて抽出されたデータをその配列に従って各表示位置に配置し、表示したものである。例えば、表示画面１００１の表示状態において、表示位置９０７〜９１２のそれぞれに、データ[８８]、[９１]、[９４]、[９７]が、表示位置９１４〜９１７のそれぞれに、データ[１０３]、[１０６]、[１０９]、[１１２]が配置されている。
【００３２】
ここで、操作リモコン装置１０２の縮小指示キー３０６が押されると、一次元表示の例で上述したように、表示データ管理テーブル５０１が表示データ管理テーブル５０２へと更新される。表示制御部２１０は、更新された表示データ管理テーブル５０２を参照してサムネイルを配置し、表示する。この結果、表示画面１００２に示されるように、表示が更新される。更に縮小指示キー３０６が押されると、表示データ管理テーブル５０２は表示データ管理テーブル５０３へ更新され、表示制御部２１０は、更新された表示データ管理テーブル５０３を参照してサムネイルを配置する。その結果、表示画面１００３に示されるように、表示が更新される。
【００３３】
すなわち、表示画面１００１の表示位置９０９〜９１２の位置のサムネイルは、データ配列生成部が生成した配列において、基準データと反対側に配置されているデータ[９２]、[９４]、[９６]、[９８]のものに変更される。また、表示位置９１４〜９１７の位置のサムネイルも、配列において基準データと反対側に配置されているデータ[１０２]、[１０４]、[１０６]、[１０８]のものに変更される。この状態から縮小指示キー３０６が押されると、さらに表示画面１００３に示されるように、表示位置９０９〜９１２の位置のサムネイルがデータ[９６]、[９７]、[９８]、[９９]のものへと変更される。そして、表示位置９１４〜９１７のサムネイルがデータ[１０１]、[１０２]、[１０３]、[１０４]のものへと変更される。
【００３４】
表示位置９０１〜９０８、９１８〜９２５のサムネイルもそれぞれ表示画面１００２或いは表示画面１００３で示されているデータＩＤのサムネイルへ変更されていく。
【００３５】
また、表示画面１００３の表示状態において、操作リモコン装置１０２の拡大指示キー３０７が押されると、上記とは逆に表示状態が変化する。すなわち、表示制御部２１０は、更新された表示データ管理テーブル５０２を参照してサムネイルを配置し、表示する。この結果、表示画面１００２に示されるように、表示が更新される。更に拡大指示キー３０７が押されると、表示データ管理テーブル５０２は表示データ管理テーブル５０１へ更新され、表示制御部２１０は、更新された表示データ管理テーブル５０１を参照してサムネイルを配置する。その結果、画面は、表示画面１００１に示されるように更新される。
【００３６】
すなわち、表示画面１００２に示されるように、表示位置９０９〜９１２のサムネイルが、配列において、基準データとの間に配置されているデータ[９２]、[９４]、[９６]、[９８]のものに変更される。また、表示位置９１４〜９１７の位置のサムネイルが、配列において、基準データとの間に配置されているデータ[１０２]、[１０４]、[１０６]、[１０８]のものに変更される。更に、表示画面１００２の状態において操作リモコン装置１０２の拡大指示キー３０７が押されると、表示画面１００１に遷移する。すなわち、表示位置９０７〜９１２のサムネイルがデータ[８８]、[９１]、[９４]、[９７]のものに変更される。そして、表示位置９１４〜９１７の位置のサムネイルがデータ[１０３]、[１０６]、[１０９]、[１１２]のものに変更される。
【００３７】
なお、表示位置９０１〜９０８、９１８〜９２５の位置のサムネイルもそれぞれ表示画面１００２、１００３で示されているデータＩＤのサムネイルへ変更されていく。
【００３８】
（詳細動作説明）
以下、本装置の具体的な動作をいくつかの場合に分けて説明を行う。
【００３９】
図１１は、本実施形態に関わる一次元での表示状態遷移動作を説明するフローチャートである。
【００４０】
まず、データ配列生成部２０９は、データ蓄積部２０５に蓄積されているデータを、メタデータ管理部２０７で管理されているメタデータの順序に従って配列し、図４に示すようなデータ管理テーブルを作成する（ステップＳ１１０１）。ここでは、日付のメタデータを利用して配列を生成している。さらに、表示サムネイル管理部２１２は、任意のデータ間隔の初期値による表示データの抽出を行い、図５の表示データ管理テーブルを作成する（ステップＳ１１０２）。そして、表示制御部２１０は、表示データ管理テーブルに従って、抽出されたデータのサムネイルを表示部２１３に表示する（ステップＳ１１０３）。そして、表示制御部２１０は、任意のデータを基準データとしてそのサムネイルの表示位置にフォーカスを当てる（ステップＳ１１０４）。ここでは、初期値として間隔「３」で抽出が行われ、表示サムネイル管理部２１２は表示データ管理テーブル５０１（図５）を生成し、表示画面８０１（図８）のようにサムネイルが表示されるものとする。なお、基準データとしては、データの先頭からデータを表示させた際の、表示データの真中にあるデータ、もしくは全データの真中にあるデータ、もしくは、前回表示させた際の最後に基準データに設定されたデータなどを用いることができる。
【００４１】
操作入力部２０４が、操作リモコン装置１０２からの縮小指示キー３０６の入力を検出すると（ステップＳ１１０５）、データ抽出間隔制御部２１１は抽出間隔を減少する方向へ変更する。そして、表示サムネイル管理部２１２は、減少された間隔で表示データの抽出を行う。そして、表示サムネイル管理部２１２は、指示された間隔で抽出したデータにより表示データ管理テーブルを変更する（ステップＳ１１０６）。例えば、間隔「３」が間隔「２」に変更された場合、表示サムネイル管理部２１２は表示データ管理テーブル５０１を表示データ管理テーブル５０２のように変更する。そして、表示制御部２１０は、変更後の表示データ管理テーブルに従ってサムネイルを表示することで、表示部２１３の表示を更新する（ステップＳ１１０７）。例えば、表示画面８０１から表示画面８０２へと表示が更新される。さらに縮小指示キー３０６の入力が検出されると、表示サムネイル管理部２１２は指示された間隔で表示データを抽出して表示データ管理テーブルを更新する（例えば表示データ管理テーブル５０２から表示データ管理テーブル５０３へ更新する）。以上のように、縮小指示キー３０６の操作に応じて、表示データ管理テーブルの抽出データと表示状態を間隔縮小方向へと変更して、サムネイルの表示を表示画面８０１→８０２→８０３のように更新する。
【００４２】
また、表示画面８０３のように表示している状態で、操作入力部２０４が拡大指示キー３０７の入力を検出すると（ステップＳ１１０８）、データ抽出間隔制御部２１１は抽出間隔を増加する方向へ変更する。表示サムネイル管理部２１２は増加された間隔で表示データの抽出を行う。そして、表示サムネイル管理部２１２は、指示された間隔に従って抽出したデータにより表示データ管理テーブルを変更する。例えば、間隔「１」が間隔「２」に変更された場合、表示サムネイル管理部２１２は表示データ管理テーブル５０３を表示データ管理テーブル５０２のように変更する（ステップＳ１１０９）。そして、表示制御部２１０は、変更された表示データ管理テーブルに従ってサムネイルを表示することで、表示部２１３の表示を表示画面８０２のように更新する（ステップＳ１１１０）。こうして、抽出データと表示状態が間隔拡大方向へと変更される。さらに、表示画面８０２を表示している状態で拡大指示キー３０７の入力が検出されると、上記処理に従って表示データ管理テーブルの抽出データと表示状態が間隔拡大方向へと変更され、サムネイルの表示は表示画面８０１のように更新される。
【００４３】
また、操作入力部２０４が、操作リモコン装置１０２からの右指示キー３０３の入力を検出すると（ステップＳ１１１１）、表示制御部２１０は、表示部２１３に表示されているサムネイルを左へスクロールする（ステップＳ１１１２）。そして、基準サムネイル管理部２１４は、スクロール前に基準データとして扱われていたデータの右に表示されているデータを基準データへと変更する。すなわち、基準データが表示されていた表示位置に新たに表示されたデータを基準データとする。表示サムネイル管理部２１２は、表示データ管理テーブルの基準データ及び表示状態を上記処理に合わせて更新する（ステップＳ１１１３）。
【００４４】
さらに、操作入力部２０４が、操作リモコン装置１０２からの左指示キー３０４の入力を検出すると（ステップＳ１１１４）、表示制御部２１０は、表示部２１３に表示されているサムネイルを右へスクロールする（ステップＳ１１１５）。そして、基準サムネイル管理部２１４は、スクロール前に基準データとして扱われていたデータの左に表示されているデータを基準データに変更する。すなわち、基準データが表示されていた表示位置に新たに表示されたデータを基準データとする。表示サムネイル管理部２１２は、表示データ管理テーブルの基準データ及び表示状態を上記処理に合わせて更新する（ステップＳ１１１６）。
【００４５】
そして、目的のデータが表示され発見されるとユーザは確定キー３０５を押す。操作入力部２０４が確定キー３０５の入力を検出すると（ステップＳ１１１７）、ＣＰＵ２０１はそのデータ、すなわち基準データを選択する（ステップＳ１１１８）。確定キー３０５の操作が検出されるまで、ステップＳ１１０５からの処理が繰り返される。
【００４６】
以上のような処理により、本実施形態によれば、ユーザはデータ一覧の表示を、必要に応じた詳細度に表示を変更ことができる。また、本実施形態によれば、基準データを移動することにより、所望のデータに近づきながら探すことができ、容易に所望のデータに到達できるようになる。
【００４７】
図１２は、本実施形態に関わる二次元での表示状態遷移動作を説明するフローチャートである。
【００４８】
まず、データ配列生成部２０９は、データ蓄積部２０５に蓄積されされているデータをメタデータ管理部２０７で管理されているメタデータの順序に従って配列し、図４に示すようなデータ管理テーブルを作成する（ステップＳ１２０１）。ここでは、日付のメタデータを利用して配列が生成されるものとする。表示サムネイル管理部２１２は、任意のデータ間隔（ここでは、初期値のデータ間隔）による表示データの抽出を行い、図５の表示データ管理テーブルを作成する（ステップＳ１２０２）。そして、表示制御部２１０は、表示データ管理テーブルに従って、抽出されたデータのサムネイルを表示部２１３に表示し（ステップＳ１２０３）、任意のデータを基準データとしてそのサムネイル表示位置にフォーカスを当てる（ステップＳ１２０４）。ここでは、間隔「３」で抽出が行われ、基準データをデータ[１００]とし、これを表示位置９１３に配置し、表示画面１００１のようにサムネイル表示されるものとする。
【００４９】
操作入力部２０４が、操作リモコン装置１０２からの縮小指示キー３０６の入力を検出すると（ステップＳ１２０５）、データ抽出間隔制御部２１１は抽出間隔を減少する方向へ変更する。そして、表示サムネイル管理部２１２は、減少された間隔で表示データの抽出を行う。そして、表示サムネイル管理部２１２は、この減少された間隔で表示データの抽出を行う。そして、表示サムネイル管理部２１２は、指示された間隔で抽出したデータにより表示データ管理テーブルを変更する（ステップＳ１２０６）。例えば、間隔「３」が間隔「２」に変更された場合、表示サムネイル管理部２１２は表示データ管理テーブル５０１を表示データ管理テーブル５０２のように変更する。そして、表示制御部２１０は、変更後の表示データ管理テーブルに従って、基準データの表示位置９１３に隣接した表示位置９０９〜９１２、９１４〜９１７に配置されているサムネイルを変更する（ステップＳ１２０７）。ここでは、表示データ管理テーブル５０１から表示データ管理テーブル５０２へ更新される。
【００５０】
そのため、表示位置９１２に表示されているサムネイルが、データ[９７]のサムネイルから、配列において、抽出されたデータのうち基準データであるデータ[１００]とデータ[９７]との間にあるデータのサムネイルに更新される。すなわち、データ[９７]のサムネイルからデータ[９８]のサムネイルに更新される。また、表示位置９１４に表示されているサムネイルが、データ[１０３]のサムネイルから、抽出されたデータのうち基準データであるデータ[１００]との間にあるデータ[１０２]のサムネイルに更新される。さらに、基準データの表示位置９１３に隣接した表示位置９０９〜９１２、９１４〜９１７に配置されているサムネイルが図１０の表示画面１００２に示される如く変更される。さらに、表示位置９０１〜９０８、９１８〜９２５の位置にあるサムネイルも、更新された表示データ管理テーブル５０２に従って、基準データであるデータ[１００]に近い順に、そのサムネイルを変更していく（ステップＳ１２０８）。こうして、表示部２１３の表示は表示画面１００２のように更新される。さらに縮小指示キー３０６の入力を検出すると、上述した処理により表示データ管理テーブル５０３が生成される。そして、表示データ管理テーブル５０３に従って表示部２１３の表示が更新され、表示画面１００３が表示される。このように、縮小指示キー３０６の入力に応じて、抽出データと表示状態が間隔縮小方向へと変更される。
【００５１】
また、表示画面１００３のように表示している状態で、操作入力部２０４が拡大指示キー３０７の入力を検出すると（ステップＳ１２０９）、データ抽出間隔制御部２１１は抽出間隔を増加する方向へ変更する。表示サムネイル管理部２１２は増加された間隔で表示データの抽出を行う。そして、表示サムネイル管理部２１２は、指示された間隔に従って抽出したデータにより表示データ管理テーブルを変更する。例えば、間隔「３」が間隔「２」に変更された場合、表示サムネイル管理部２１２は表示データ管理テーブル５０３を表示データ管理テーブル５０２のように間隔拡大方向へ変更する（ステップＳ１２１０）。そして、表示制御部２１０は、変更された表示データ管理テーブルに従ってサムネイルを表示することで、表示部２１３の表示画面を表示画面１００２のように変更する。
【００５２】
すなわち、表示制御部２１０は、基準データの表示位置９１３に隣接した表示位置９０９〜９１２、９１４〜９１７に配置されているサムネイルを表示データ管理テーブルに従って変更する（ステップＳ１２１１）。ここでは、表示位置９１２に表示されているサムネイルが、データ[９９]のサムネイルから、配列において、抽出されたデータのうち基準データ（データ[１００]）と反対側の位置にあるデータ[９８]のサムネイルに更新される。また、表示位置９１４に表示されているサムネイルが、データ[１０１]のサムネイルから、抽出されたデータのうち基準データ（データ[１００]）との間にあるデータ[１０２]のサムネイルに更新される。さらに、基準データの表示位置９１３に隣接した表示位置９０９〜９１２、９１４〜９１７に配置されているサムネイルも表示データ管理テーブルに従って変更される。さらに、表示位置９０１〜９０８、９１８〜９２５の位置にあるサムネイルも、抽出されたデータで基準データ（データ[１００]）に近い順に、そのサムネイルを変更していく（ステップＳ１２１２）。こうして、表示部２１３の表示は表示画面１００２のように更新する。さらに拡大指示キー３０７の入力が検出されると、上述した処理により、表示データ管理テーブルの抽出データと表示状態が間隔拡大方向へと変更され、サムネイルの表示は表示画面１００１のように更新される。
【００５３】
また、操作入力部２０４が、操作リモコン装置１０２からの右指示キー３０３の入力を検出すると（ステップＳ１２１３）、表示制御部２１０は、表示部２１３に表示されているサムネイルを左へスクロールする（ステップＳ１２１４）。そして、基準サムネイル管理部２１４は、スクロール前に基準データとして扱われていたデータの右に表示されているデータを基準データへと変更する。すなわち、基準データが表示されていた表示位置に新たに表示されたデータを基準データとする。表示サムネイル管理部２１２は、表示データ管理テーブルの基準データ及び表示状態を上記処理に合わせて更新する（ステップＳ１２１５）。
【００５４】
さらに、操作入力部２０４が、操作リモコン装置１０２からの左指示キー３０４の入力を検出すると（ステップＳ１２１６）、表示制御部２１０は、表示部２１３に表示されているサムネイルを右へスクロールする（ステップＳ１２１７）。そして、基準サムネイル管理部２１４は、スクロール前に基準データとして扱われていたデータの左に表示されているデータを基準データに変更する。すなわち、基準データが表示されていた表示位置に新たに表示されたデータを基準データとする。表示サムネイル管理部２１２は、表示データ管理テーブルの基準データ及び表示状態を上記処理に合わせて更新する（ステップＳ１２１８）。
【００５５】
また、操作入力部２０４が、操作リモコン装置１０２からの上指示キー３０１の入力を検出すると（ステップＳ１２１９）、表示制御部２１０は、表示部２１３に表示されているサムネイルを下へスクロールする（ステップＳ１２２０）。そして、基準サムネイル管理部２１４は、スクロール前に基準データとして扱われていたデータの上に表示されているデータを基準データに変更する。すなわち、基準データが表示されていた表示位置に新たに表示されたデータを基準データとする。表示サムネイル管理部２１２は、表示データ管理テーブルの基準データ及び表示状態を上記処理に合わせて更新する（ステップＳ１２２１）。
【００５６】
さらに、操作入力部２０４が、操作リモコン装置１０２からの下指示キー３０２の入力を検出すると（ステップＳ１２２２）、表示制御部２１０は、表示部２１３に表示されているサムネイルを上へスクロールする（ステップＳ１２２３）。そして、基準サムネイル管理部２１４は、スクロール前に基準データとして扱われていたデータの下に表示されているデータを基準データに変更する。すなわち、基準データが表示されていた表示位置に新たに表示されたデータを基準データとする。表示サムネイル管理部２１２は、表示データ管理テーブルの基準データ及び表示状態を上記処理に合わせて更新する（ステップＳ１２２４）。
【００５７】
そして、目的のデータが表示され発見されるとユーザは確定キー３０５を押す。操作入力部２０４が確定キー３０５の入力を検出すると（ステップＳ１２２５）、ＣＰＵ２０１はそのデータ（すなわち、基準データ）を選択する（ステップＳ１２２６）。確定キー３０５の操作が検出されるまで、ステップＳ１２０５からの処理が繰り返される。
【００５８】
以上のような実施形態によれば、あるデータに対して、所望の関連度でのデータを周辺に表示することにより、目的のデータの検索、選択を容易にすることができる。また、所定の関連度のデータのみ表示することにより、詳細度を変更してもデータの大きさを変更することなく表示できる。
【００５９】
また、ユーザにとって必要な関連度のデータのみが表示されるので、詳細度を変更してもデータの大きさを変更することなく表示できる。さらに、スクロール等により表示が変更されると、新たに表示されたデータに対して基準の画像データが移動されるので、容易に所望のデータに近づきながら探すことができ、フォルダの階層を何度も上下することなく、所望のデータに到達できるようになる。
【００６０】
また、上記実施形態では、日付のメタデータをもとに配列の順序を決定していたが、これに時間単位を付け加えて順番を決定しても良い。また、日付のメタデータに限られるものではなく、場所のメタデータを、国、都道府県、地名といった順で順序化し、配列順番を決定したり、人物名のメタデータで順番を決定したりしても良い。
【００６１】
また、本実施形態では、サムネイルの表示を一次元、または、二次元にて行ったが、三次元での表示を行うようにしてもよい。また、複数のメタデータにおける順序を管理し、それぞれの次元方向に各メタデータを割り当て、それに従って配列させても良い。
【００６２】
また、本実施形態では、操作リモコン装置１０２を利用して、データの抽出する間隔を変更していたが、これを画面上のインジケータ７１０を利用して変更しても良い。例えば、表示部２１３がタッチパネルになっており、インジケータ７１０をタッチ操作によってスライドさせ表示の変更（間隔の変更）を行うようにしてもよい。また、操作リモコン装置１０２から、データの抽出間隔を直接入力するようにしても良い。
【００６３】
また、実施形態では、一覧表示にサムネイルを用いたがこれに限られるものではない。例えば、一覧表示に用いる画像データとして、静止画データもしくは動画データの本体データ、当該画像データを特徴付ける画像（例えば、動画データ中の特定の期間の再生画像）等を用いることができる。
【００６４】
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００６５】
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したコンピュータプログラムである。
【００６６】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６７】
その場合、プログラムの機能を有していれば、オブジェクトコード、インタプリタにより実行されるプログラム、ＯＳに供給するスクリプトデータ等の形態であっても良い。
【００６８】
コンピュータプログラムを供給するためのコンピュータ読み取り可能な記憶媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６９】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７０】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００７１】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行ない、その処理によって前述した実施形態の機能が実現される。
【００７２】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行なう。
【図面の簡単な説明】
【００７３】
【図１】実施形態によるデータ表示システムの構成例を示す図である。
【図２】実施形態によるデータ表示制御装置のハード構成例を示す図である。
【図３】実施形態による操作リモコン装置の外観を示す図である。
【図４】実施形態によるデータ管理テーブルのデータ構成例を示す図である。
【図５】実施形態による表示データ管理テーブルの、異なる間隔値におけるデータ構成例を示す図である。
【図６】実施形態によるデータ配列の例を示す図である。
【図７】実施形態による一次元表示画面の表示例を示す図である。
【図８】実施形態による一次元表示画面の遷移例を示す図である。
【図９】実施形態による二次元表示画面の表示例を示す図である。
【図１０】実施形態による二次元表示画面の遷移例を示す図である。
【図１１】実施形態における、一次元での表示状態遷移動作を示すフローチャートである。
【図１２】実施形態における、二次元での表示状態遷移動作を示すフローチャートである。
【図１】
2010015256.tif 000003
【図２】
2010015256.tif 000004
【図３】
2010015256.tif 000005
【図４】
2010015256.tif 000006
【図５】
2010015256.tif 000007
【図６】
2010015256.tif 000008
【図７】
2010015256.tif 000009
【図８】
2010015256.tif 000010
【図９】
2010015256.tif 000011
【図１０】
2010015256.tif 000012
【図１１】
2010015256.tif 000013
【図１２】
2010015256.tif 000014